(57)【特許請求の範囲】
【請求項１】
前身頃、後身頃及び両者間に位置する股下部からなり、少なくとも股下部に吸収体を備え、前身頃と後身頃とが両側部で相互に接合されることにより、ウエスト開口部と両レッグ開口部とが形成されたパンツ型おむつであって、ウエスト開口部には、弾性収縮部材を備えると共にその内面に高摩擦性部材を有するウエストフラップが形成されてなり、該ウエストフラップが一定幅外方に折り返されて仮保持状態にあることを特徴とする、ウエスト折り返しパンツ型おむつ。
【請求項２】
折り返されたウエストフラップは、その仮保持状態を安定させるために、前身頃または後身頃の両側部にて仮止めされていることを特徴とする請求項１記載のウエスト折り返しパンツ型おむつ。
【請求項３】
折り返されたウエストフラップは、エンボス加工によって仮止めされてなることを特徴とする請求項２記載のウエスト折り返しパンツ型おむつ。
【請求項４】
折り返されたウエストフラップは、熱シールによって仮止めされてなることを特徴とする請求項２記載のウエスト折り返しパンツ型おむつ。
【請求項５】
折り返されたウエストフラップは、吸収体が至らないように備わっていることを特徴とする請求項１記載のウエスト折り返しパンツ型おむつ。
【請求項６】
前身頃又は後身頃の外面側に、一端が固定された廃棄用止着テープが設けられ、この廃棄用止着テープの自由端側の摘まみ出し部が、折り返されたウエストフラップにより覆われていることを特徴とする請求項１記載のウエスト折り返しパンツ型おむつ。
【発明の詳細な説明】
【０００１】
【発明の属する技術分野】
この発明は、使い捨ておむつに関し、更に詳しくは、装着性が優れたパンツ型おむつ及びその装着方法に関する。
【０００２】
【従来の技術】
従来から、幼児用おむつ等として使い捨ておむつが使用されている。このような使い捨ておむつの主たる機能としては、尿等の排泄物を外部に漏らさないように的確に保持しておくことである。また、おむつを装着する際に、スムースに身に付けれるように装着性が優れていることも極めて重要である。
【０００３】
従来のパンツ型おむつは、図６（Ａ）に示すように、前身頃ａと後身頃ｂとがその両側部で相互に接合（固定）されることにより、ウエスト開口部ｃと両レッグ開口部ｄとが形成され、立体状に形作られている。
そして、そのウエスト開口部ｃには，弾性収縮部材ｅが備えられ、伸縮性を有するウエストフラップｆが形成されている。
これによって、おむつを装着した場合に、身体の腰への保持力を高くし、着用した後も外れにくくしている。
【０００４】
更に、パンツ型おむつは、腰への保持力をより高めて着用時のズリ下がりを確実に防止するために、ウエスト開口部ｃの内面に高摩擦性部材ｇを備えているものもある〔図６（Ｂ）参照〕。
通常、パンツ型おむつの装着は、図７に示すように、まず、パンツ型おむつの両側部を掴んでウエスト開口部ｃを広げて、脚をウエスト開口部ｃから入れてレッグ開口部ｄより出すようにし〔図７（Ａ）参照〕、おむつをそのまま上方に引き上げて、腰にウエスト開口部ｃを位置させることによりなされる。
しかしながら、ウエスト開口部ｃの内面に高摩擦性部材ｇを有するパンツ型おむつは、装着する場合、通常の装着方法では問題が生じる。
【０００５】
これは、パンツ型おむつを引き上げる際、前記ウエスト開口部ｃ内面に備えられた高摩擦性部材ｇが身体の肌面に接触し、高摩擦性部材ｇが抵抗となってしまうためである〔図７（Ｂ）参照〕。
その結果、無理やり引き上げると、肌を傷付ける恐れがある上、抵抗力の違いにより、引き上げの状態にムラができてしまい、パンツ型おむつのウエストラインＷＬが一直線にならない〔図７（Ｃ）参照〕。
【０００６】
【発明が解決しようとする課題】
本発明は、上記のような問題点の解決を意図したものである。
即ち、本発明の目的は、身体に抵抗感なくスムースに装着できるパンツ型おむつを提供することである。
また、そのパンツ型おむつの装着方法を提供することである。
【０００７】
【課題を解決するための手段】
かくして、本発明者等は、このような背景をもとに、鋭意研究を重ねた結果、パンツ型おむつのウエスト部分を一定幅外方に折り返して仮保持状態とすることにより、高摩擦性部材が極力、身体の皮膚面に接触しない位置となる点を見出し、この知見により、本発明を完成させたものである。
【０００８】
すなわち、本発明は、（１）、前身頃、後身頃及び両者間に位置する股下部からなり、少なくとも股下部に吸収体を備え、前身頃と後身頃とが両側部で相互に接合されることにより、ウエスト開口部と両レッグ開口部とが形成されたパンツ型おむつであって、ウエスト開口部には、弾性収縮部材を備えると共にその内面に高摩擦性部材を有するウエストフラップが形成されてなり、該ウエストフラップが一定幅外方に折り返されて仮保持状態にあるウエスト折り返しパンツ型おむつに存する。
このように、ウエストフラップが一定幅外方に折り返されて仮保持状態にあるため、装着する際、身体（肌面）に対する抵抗感が少なく、その結果、スムースな装着が可能となった。同時に、肌を傷めることがないため、特に肌の柔らかい幼児には最適である。
【０００９】
そして、（２）、折り返されたウエストフラップは、その仮保持状態を安定させるために、前身頃または後身頃の両側部にて仮止めされているウエスト折り返しパンツ型おむつに存する。
このように仮止めした場合、折り返し部分の安定した維持状態を確保できる。
【００１０】
そしてまた、（３）、折り返されたウエストフラップは、エンボス加工によって仮止めされてなるウエスト折り返しパンツ型おむつに存する。
このようにエンボス加工よって仮止めした場合、その効果により折り返し部分の安定した維持状態を確保できる。
【００１１】
そしてまた、（４）、折り返されたウエストフラップの両側部に、その仮保持状態を安定させるための熱シールを施すウエスト折り返しパンツ型おむつに存する。
このように熱シールによって仮止めした場合、折り返し部分の安定した維持状態を確保できる。
【００１２】
そしてまた、（５）、折り返されたウエストフラップは、吸収体が至らないように備わっているウエスト折り返しパンツ型おむつに存する。
このように吸収体が至らないために、おむつ内面の素材が外側に露出して外気に晒される面積を極力押さえることができ、極めて衛生的である。
【００１３】
そしてまた、（６）、前身頃又は後身頃の外面側に、一端が固定された廃棄用止着テープが設けられ、この廃棄用止着テープの自由端側が、折り返されたウエストフラップにより覆われているウエスト折り返しパンツ型おむつに存する。
このように、摘まみ出し部が折り返されたウエストフラップ１により覆われた場合、その解け外れが防止される。
【００１５】
本発明は、その目的に沿ったものであれば、上記１〜６の中から選ばれた２つ以上を組み合わせた構成のパンツ型おむつも採用可能である。
【００１６】
【発明の実施の形態】
以下、具体的な実施の形態を挙げ、図面に基づいて本発明を説明する。
本発明のパンツ型おむつの主なる特徴は該ウエストフラップが一定幅外方に折り返されて仮保持状態となったものである。
【００１７】
図１は、本発明の実施形態におけるパンツ型おむつＰの斜視図である。
【００１８】
図２は、図１に示すパンツ型おむつＰを、正面図（Ａ）、該正面図（Ａ）のＹ−Ｙ線断面図（Ｂ）で示す図面である。
図３は、図２（Ｂ）の要部を拡大して示す図面である。
【００１９】
パンツ型おむつＰは、前身頃Ａ、後身頃Ｃ及び両者間に位置する股下部Ｂからなる。
前身頃Ａと後身頃Ｃとが両側部で相互に接合することで、ウエスト開口部Ｄと両レッグ開口部Ｅとが形成され、立体状のパンツ型おむつＰとなっている。
【００２０】
また、このパンツ型おむつＰは、少なくとも股下部Ｂに、この実施例では前身頃Ａ、後身頃Ｃ、股下部Ｂに渡ってほぼ中央領域に吸収体２が備わっている（図２参照）。
吸収体２は、通常、解繊パルプと高吸収性ポリマーとを透水性のテ  ィッシュで包んだ構造となっている。吸収体２は、液透過性の表面シート３と液不透過性の裏面シート４と両者の間に介在されている（図３参照）。
【００２１】
そして、吸収体２が備わった部分の両側、すなわち、前身頃Ａ、後身頃Ｃ及び股下部Ｂには、おむつＰの内側において、長手方向に図示しないバリアカフが形成されている。このバリアカフは、液不透過性のシートよりなり、起立状の自由縁部には弾性伸縮部材（例えば、天然ゴム、合成ゴム等よりなる）を装備することでギャザー状になって起立が可能である。
【００２２】
バリアカフは、この弾性力があることにより吸収体２に吸収された尿等の液体が股下から外方に漏れ出すのを防止する。すなわちパンツ型おむつを着用した場合、バリアカフは自らの伸縮力により起立して立壁を形成するもので尿等が外方に漏れ出るのを確実に防止することができるのである。
【００２３】
さて、パンツ型おむつＰのウエスト開口部Ｄに着目してみる。
このウエスト開口部Ｄは、その一定幅領域（上端部から一定距離下に位置する）が、ウエストフラップ１となっている。また、このウエストフラップ１には、前述の吸収体２が至らないようになっていることが好ましい。
【００２４】
またウエストフラップ１は、液透過性の表面シート３と液不透過性の裏面シート４との間に弾性収縮部材Ｓが止着されて、伸縮性が付与されている。
【００２５】
前記ウエストフラップ１の内面には、高摩擦性部材１１が設けられている。  この高摩擦性部材１１としては、代表的にはポリエチレン主体のエラストマーやウレタンフォーム等を好ましく用いることができ、保持力の観点から、通常のおむつ素材の２〜５倍程度の高い摩擦力を有するものが採用され、シート状のものが採用される。
【００２６】
そして、このウエストフラップ１の高摩擦性部材１１が設けられている部分が一定幅外方に折り返されて仮保持状態となっている。
この場合、折り返し部Ｍの折り返し幅Ｌは、高摩擦性部材１１が設けられている部分より大きくてもよく、少なくとも高摩擦性部材１１が設けられている部分を含むものである。この仮保持状態では、ウエスト開口部Ｄは２重となっていることが理解できよう。この場合、高摩擦性部材１１は、肌面に接触しないで外側に露出した位置となる。折り返されたウエストフラップ１は、着用者の腰部にウエスト開口部を位置させるまでは、この折り返された状態が、そのまま、極力維持されることが好ましい。
【００２７】
そのため、折り返されたウエストフラップ１は、折り返された状態を安定させるために、前身頃Ａまたは後身頃Ｂの両側部にて仮止めされることが好ましい。
この仮止めとしては熱シールやエンボス加工が採用可能である。
なお、これら安定化のための加工は、必要ならば、選択的に行われる。
【００２８】
ところで、使い捨ておむつであるパンツ型おむつＰは、使用後は、丸め込んで小さくし、廃棄される。この丸め込んだ状態を固定するための部材として、通常おむつの前身頃又は後身頃の外面側に一端が固定された廃棄用止着テープ５が設けられている。この廃棄用止着テープ５の他端は折り畳まれた自由端となっており、該自由端は摘まみ出し部５１を有している（図３参照）。しかしながら、この摘まみ出し部５１はウエストフラップ１の下方に位置することが多く、パンツ型おむつＰのパッキング後、運送時や保管後の取り出しの際に、解けて外れ易い。
【００２９】
本発明では、ウエストフラップ１が一定幅外方に折り返された仮保持状態では、廃棄用止着テープの自由端側の摘まみ出し部５１が、ウエストフラップ１の折り返された部分の下に位置し、この折り返された部分に覆われた状態となる。そのため、摘まみ出し部５１が不用意に他の物体に触れるのを避けることが可能となるため、解け外れ防止となる。
【００３０】
ところで、本発明のパンツ型おむつＰは、着用前及び該おむつウエスト開口部Ｄが着用時に着用者の腰部に位置するまで、ウエストフラップ１が折り返されているが、特に、吸収体２がパンツ型おむつＰの前身頃Ａ、股下部Ｂ、後身頃Ｃに渡って備わっている場合には、種々の折り返し部分の構造が採用される。
例えば、前身頃Ａ及び後身頃Ｃとに備えられる吸収体２の長さが同じ場合は、図４（Ａ）に示すように、ウエストフラップ１の折り返し位置は、前身頃Ａ及び後身頃Ｃとも同じように、折り返された部分に吸収体２が至らないよう、折り返し位置を合わせ、且つウエスト開口部Ｄの高さを一致させることが好ましい。
【００３１】
また、前身頃Ａ及び後身頃Ｃとに備えられる吸収体２の長さが異なる場合は、ウエストフラップ１の折り返し位置は、図４（Ｂ）に示すように、吸収体２が備えられた両身頃Ａ、Ｃのうち、折り返された部分に吸収体２が至らないよう、吸収体２が長く備わっている一方の身頃に他方の身頃を合わせ、ウエスト開口部Ｄの高さを一致させることが好ましい。
【００３２】
また、この折り返し位置は、前身頃Ａ及び後身頃Ｃに備わっている吸収体２の長さの違いによらず、図４（Ｃ）に示すように、両身頃Ａ、Ｃの吸収体２の備わっていない部分について、ウエスト開口部Ｄの高さを一致させるようにしながらろ、同じ折り返し幅とすることもできる。
以上のように、パンツ型おむつＰの前身頃Ａ及び後身頃Ｃにおけるウエストフラップ１の折り返し位置を合わせ、ウエスト開口部Ｄの高さを一致させることで、パッキング時、扱い易いためパッキングし易く、また、見た目も良好となる。
そして、廃棄用止着テープ５の自由端側の摘まみ出し部（図４では図示せず）がウエストフラップ１の折り返された部分に覆われた状態とした場合は、解け外れが防止される。
【００３３】
次にパンツ型おむつＰを装着する手順を述べる。
図５は、そのパンツ型おむつの装着手順を示す図である。
まず、着用前、高摩擦性部材１１を有するウエストフラップ１は、一定幅外方に折り返されて仮保持状態〔図５（Ａ）参照〕となっており、ウエストフラップ１の内面に配置された高摩擦性部材１１は、外側に露出した状態となる。
この状態のまま、ウエスト開口部Ｄとレッグ開口部Ｅに指をかけて摘むように持って、パンツ型おむつＰのレッグ開口部Ｅに着用者の脚部を挿入し、次いで、パンツ型おむつＰ全体を上方に引き上げる〔図５（Ｂ）参照〕。
【００３４】
すると、ウエスト開口部Ｄでは、高摩擦性部材１１が外側に露出しているので、肌面と接触して抵抗を与えるものがないため、おむつＰをスムースに引き上げることができる。またウエストフラップ１が折り返されていることで指をかけて摘む幅が短くなり、その結果、履かせ易くなる。しかも、ウエスト開口部Ｄではウエストフラップ１が折り返されて二重になることで適度な剛性を有するため、その上端ラインが崩れにくく、全体を真っ直ぐ引き上げることができる。〔図５（Ｃ）参照〕。
【００３５】
次いで、着用者の腰部にウエスト開口部Ｄを位置させた後、折り返されたウエストフラップ１を元に戻して仮保持状態を解く〔図５（Ｄ）参照〕。これで高摩擦性部材１１は、おむつＰの内側に位置し、着用者の肌面に接触することとなり、弾性収縮部材Ｓの収縮力により、的確にフィットし保持される。
なお、使用後の汚れたパンツ型おむつＰは、丸め込んで小さくし廃棄用止着テープ５で止めて廃棄される。
【００３６】
以上、本発明を説明してきたが、本発明は、実施の形態に限定されるものではなく、その本質から逸脱しない範囲で、他の種々な変形例が可能であることは言うまでもない。
すなわち、吸収体２の配置範囲は、前身頃Ａ、後見頃Ｃ、股下部Ｂに渡って自由に選択できる。
また、おむつ自体の地組織の構造は、自由に選択可能である。
【００３７】
【発明の効果】
本発明のパンツ型おむつＰは、ウエスト開口部Ｄに設けた高摩擦性部材１１が直接、身体に接触することがないようにしたため、装着する際、身体（肌面）に対する抵抗感が少なく、その結果、スムースな装着が可能となった。同時に、肌を傷めることがないため、特に肌の柔らかい幼児には最適である。
また、折り返されたウエストフラップ１をエンボス加工や熱シールによって仮止めした場合、折り返し部分の安定した維持状態を確保できる。
【００３８】
更に、廃棄用止着テープ５の自由端側の摘まみ出し部５１が、折り返されたウエストフラップ１により覆われた場合、その解け外れが防止される。
また、この折り返し部分は、吸収体の備わっていないおむつ全丈の一部であるため、おむつ内面の素材が外側に露出して外気に晒される面積を極力押さえることができ、極めて衛生的である。
【図面の簡単な説明】
【図１】本発明の実施形態におけるパンツ型おむつの斜視図である。
【図２】図１に示すパンツ型おむつを、正面図（Ａ）、正面図（Ａ）のＹ−Ｙ線断面図（Ｂ）で示す図面である。
【図３】図２（Ｂ）の要部を拡大して示す断面図である。
【図４】本発明におけるパンツ型おむつの折り返し部分の構造を示す各断面図（Ａ），（Ｂ），（Ｃ）である。
【図５】本発明におけるパンツ型おむつの装着手順を示す図である。
【図６】従来例におけるパンツ型おむつを、正面図（Ａ）、要部を拡大して示す断面（Ｂ）で示す図面である。
【図７】従来例におけるパンツ型おむつの装着手順を示す図である。
【符号の説明】
１…ウエストフラップ
１１…高摩擦性部材
２…吸収体
３…表面シート
４…裏面シート
５…廃棄用止着テープ
５１…摘まみ出し部
Ｐ…パンツ型おむつ
Ａ…前身頃
Ｂ…股下部
Ｃ…後身頃
Ｄ…ウエスト開口部
Ｅ…レッグ開口部
Ｓ…弾性収縮部材
Ｌ…折り返し幅
Ｍ…折り返し部
【図１】
0003999026.tif 000002
【図２】
0003999026.tif 000003
【図３】
0003999026.tif 000004
【図４】
0003999026.tif 000005
【図５】
0003999026.tif 000006
【図６】
0003999026.tif 000007
【図７】
0003999026.tif 000008